(57)【要約】【課題】壁面、ホワイトボード、黒板、窓ガラス、ドアなどの斜めまたはほぼ垂直な面に、静電気や水の表面張力を利用して貼り付けることができる盤ゲームの駒を提供すること。【解決手段】アルミニウム製またはポリエステル、ポリエチレン、またはポリプロピレン製の可撓性フィルムで構成され、斜めまたはほぼ垂直な面に、静電気又は水の表面張力により貼付けることができる盤ゲームの駒。【選択図】図１
2019030412.tif 000002
【特許請求の範囲】
【請求項１】
可撓性フィルムで構成される盤ゲームの駒。
【請求項２】
斜めまたはほぼ垂直な面に、静電気又は水の表面張力により貼付けることができる請求項１に記載の盤ゲームの駒。
【請求項３】
前記盤ゲームが、将棋、囲碁、オセロゲーム、またはチェスである請求項１または２に記載の盤ゲームの駒。
【請求項４】
前記盤ゲームが、将棋である請求項３に記載の盤ゲームの駒。
【請求項５】
前記可撓性フィルムが、樹脂フィルムである請求項１〜４のいずれか一項に記載の盤ゲームの駒。
【請求項６】
前記樹脂フィルムが、ポリエステル、ポリエチレン、またはポリプロピレン製のフィルムである請求項５に記載の盤ゲームの駒。
【発明の詳細な説明】
【技術分野】
【０００１】
本発明は、ゲーム盤に静電気や水の表面張力により貼り付けることができる盤ゲームの駒に関する。詳しくは、本発明は、ゲーム盤に静電気や水の表面張力により貼り付けることができる将棋、囲碁、オセロゲーム、またはチェス等の盤ゲームの駒に関する。
【背景技術】
【０００２】
将棋、囲碁、オセロゲーム、またはチェス等の盤ゲームは、子供からお年寄りまで広い世代に、時代や国を超えて親しまれている。これらゲームは、水平に設置したゲーム盤の上に駒を並べて対戦することが通常である。
【０００３】
盤ゲームは一対一で対戦するものが多いが、対戦者だけでなく、その周りで勝負の行方を見守るのも楽しみの一つである。また将棋や囲碁等は色々な戦法があり、書籍等により独学で学ぶのはもちろん、実際にゲーム盤の上で駒を動かしながらルールや強くなるコツを学べる教室も多い。このような場合、ゲーム盤を垂直に設置することができれば、盤や駒の動きが見えやすくなる。またゲーム盤や駒が大きい方が見やすいが、駒を盤に固定しておく必要がある。
【０００４】
例えば特許文献１には、碁石、及び将棋、チェス、オセロの駒に磁力を持たせた物を薄い鉄板を張った遊具盤の上でプレイすることで、振動のある場所でも駒が移動しない遊具が記載されている。
【先行技術文献】
【特許文献】
【０００５】
【特許文献１】特開２０１０−１６７２３４号公報
【発明の概要】
【発明が解決しようとする課題】
【０００６】
本発明は、壁面、ホワイトボード、黒板、窓ガラス、ドアなどの斜めまたはほぼ垂直な面に、静電気や水の表面張力を利用して貼り付けることができる盤ゲームの駒を提供するものである。
【課題を解決するための手段】
【０００７】
すなわち本発明は、可撓性フィルムで構成される盤ゲームの駒である。
【０００８】
また本発明は、斜めまたはほぼ垂直な面に静電気又は水の表面張力により貼付けることができる可撓性フィルムで構成される盤ゲームの駒である。
【０００９】
さらに本発明は、可撓性フィルムで構成される、将棋、囲碁、またはオセロゲームの駒である。
【００１０】
また本発明は、ポリエステル、ポリエチレン、またはポリプロピレン製の過当性樹脂フィルムで構成される盤ゲームの駒である。
【発明の効果】
【００１１】
本発明により、壁面、ホワイトボード、黒板、窓ガラス、ドアなどの斜めまたはほぼ垂直な面に、静電気や水の表面張力を利用して貼り付けることができる盤ゲームの駒を提供することが可能となる。さらに本発明により、お風呂場や温泉等水やお湯を利用する場所に、ほぼ垂直なゲーム盤を設置して遊ぶときに使用することができる盤ゲームの駒を提供することが可能となる。
【発明を実施するための形態】
【００１２】
本発明の盤ゲームの駒は可撓性フィルムで構成されている。可撓性フィルムを利用することにより、乾燥した状態では静電気を、水が存在する場合には水の表面張力を利用して、駒をゲーム盤に貼り付けることが可能となる。そのため、壁面、ホワイトボード、黒板、窓ガラス、ドアなどの、斜めあるいはほぼ垂直な面であっても、盤ゲームを楽しむことができる。
【００１３】
盤ゲームとしては、可撓性フィルム製の駒を貼り付けて遊べるものであればよいが、中でも将棋、囲碁、オセロゲーム、またはチェスを好ましいものとして挙げることができる。それぞれのゲームに合わせて、駒を貼り付ける壁面等の表面に、例えば将棋の場合は９×９、囲碁の場合は１９×１９、そしてオセロゲームやチェスの場合は８×８のマス目を描いてゲーム盤とする。
【００１４】
将棋の場合は、可撓性フィルムを将棋の駒の形に切断し、表面と裏面にそれぞれ文字を書き込んで駒を作成することができる。囲碁の場合は、可撓性フィルムを同じ大きさの丸い形に切断し、駒の半数を白に染め、残りを黒に染めて作成することができる。囲碁の駒の場合、白い駒には白い可撓性フィルムを、黒い駒には黒い可撓性フィルムを使用すると便利である。また、オセロゲームの場合は、可撓性フィルムを同じ大きさの丸い形に切断し、駒の表面を白に、裏面を黒に染めて作成することができる。この時、白い可撓性フィルムと黒い可撓性フィルムを貼り合わせて作成することもできるが、フィルムの厚さが厚くなりすぎると、駒の重さのために静電気や表面張力でゲーム盤からずり落ちてしまう可能性がある。チェスの場合は、駒の形状が複雑であるため、例えば可撓性フィルムの表面に、キング、クイーン、ルーク、ビショップ、ナイト、及びポーンの模様を描いて駒を作成することができる。この場合、駒の半分を白いフィルムで、残りを例えば黒等の色付きのフィルムで構成するといずれのサイドの駒なのかがわかりやすい。
【００１５】
可撓性フィルムは、ゲーム盤となる壁面等との間で静電気または水の表面張力を利用して、駒をゲーム盤に貼り付けることができるフィルムであればよい。例えば、アルミニウム製のフィルムや樹脂フィルムを挙げることができる。樹脂フィルムとしては、例えばポリエステル、ポリエチレン、またはポリプロピレン製等のフィルムを挙げることができる。
【００１６】
図を参照しながら本発明の将棋の駒について説明する。図１は、可撓性樹脂フィルムにより構成した本発明の将棋の駒（王将）の表面図である。図２は、可撓性樹脂フィルムにより構成した本発明の将棋の駒（歩）の表面図である。図３は、可撓性樹脂フィルムにより構成した本発明の将棋の駒（歩）の裏面図である。
【００１７】
駒の大きさは、フィルム製の駒が静電気や水の表面張力を利用して壁面等ゲーム盤として使用する平面に貼り付けられる程度の大きさであればよく特に限定されない。駒の大きさはまた、使用する可撓性フィルムの厚さや目付により適宜調整することが可能である。より大きな駒とすることで周りの聴衆からも見えやすくなるが、あまりに大きすぎると対戦時に盤全体に手が届きにくくなる。
【００１８】
静電気を利用する場合は、駒や盤となる壁面等が濡れないようにする必要がある。また、この場合壁面等は表面が均一で凹凸のない面を使用することが好ましい。
【００１９】
一方水の表面張力を利用する場合は、ゲーム盤となる壁面等の面を水やお湯で濡らす必要がある。ただし、温泉やお風呂場など湿り気の多い場所で使用する場合は、既に壁面に水滴が付着していればさらに水やお湯で濡らす必要は無い。
【図面の簡単な説明】
【００２０】
【図１】図１は、本発明の将棋の駒（王将）の一例を示す表面図である。
【図２】図２は、本発明の将棋の駒（歩）の一例を示す表面図である。
【図３】図３は、本発明の将棋の駒（歩）の一例を示す裏面図である。
【図１】
2019030412.tif 000003
【図２】
2019030412.tif 000004
【図３】
2019030412.tif 000005